(57)【要約】【課題】製造メーカがノズルからのインクの吐出状態を把握する。【解決手段】プリンタを購入後、最初に電源が投入されたときに、製造メーカへ返送するユーザ登録用ハガキ８０の裏面にチェックパターン９０を印刷すると共にシリアル番号１００と数値化されたアンケートの回答１１０とユーザの住所氏名記入欄１２０とを印刷する。したがって、製造メーカがノズルからのインクの吐出状態やノズルへのインクの初期充填状況をシリアル番号１００に関連付けて把握することができる。【選択図】図９
2009184127.tif 000002
【特許請求の範囲】
【請求項１】
ノズルからインクを吐出して印刷する印刷装置であって、
所定タイミングで前記ノズルからのインクの吐出状態を確認するチェックパターンと前記印刷装置を識別する所定の識別情報とを該印刷装置の製造メーカへ返送する返送用紙に印刷することを特徴とする
印刷装置。
【請求項２】
前記返送用紙は、ユーザ登録用ハガキである請求項１記載の印刷装置。
【請求項３】
前記印刷装置のユーザに対するアンケートの質問と該質問に対する回答を数値または記号に対応付けられた選択肢として表示して回答を受け付け、該受け付けた回答を前記チェックパターンと共に前記ユーザ登録用ハガキに印刷する請求項２記載の印刷装置。
【請求項４】
前記所定タイミングは、前記印刷装置の電源が最初に投入されたときである請求項１ないし３いずれか１項に記載の印刷装置。
【請求項５】
前記所定の識別情報の印刷には、前記印刷装置が有する全てのインク色を用いる請求項１ないし４いずれか１項に記載の印刷装置。
【請求項６】
前記所定の識別情報は、シリアル番号である請求項１ないし５いずれか１項に記載の印刷装置。
【請求項７】
ノズルからインクを吐出して印刷する印刷装置における印刷方法であって、
所定タイミングで前記ノズルからのインクの吐出状態を確認するチェックパターンと前記印刷装置を識別する所定の識別情報とを該印刷装置の製造メーカへ返送する返送用紙に印刷することを特徴とする
印刷方法。
【発明の詳細な説明】
【技術分野】
【０００１】
本発明は、ノズルからインクを吐出して印刷する印刷装置およびその印刷方法に関する。
【背景技術】
【０００２】
従来、印刷装置としては、ノズル内のインク流路にインクと同様な特性を有する保存液を充填するインクジェットプリンタが提案されている（例えば、特許文献１参照）。この装置では、保存液を充填することにより使用開始時のインクの初期充填を気泡を発生させることなくスムーズに行うことができるとしている。
【特許文献１】特開２００５−２３８８５７
【発明の開示】
【発明が解決しようとする課題】
【０００３】
しかしながら、上述した印刷装置では、工場から出荷されユーザの手元に届くまでの間の配送中の振動や気圧，気温の変化、配送期間の影響などにより実際には初期充填が正常になされないことがあるが、既に出荷された後のことであり製造メーカは把握できていなかった。このため、インクの初期充填が正常になされてノズルから確実にインクが吐出されるかどうかを製造メーカが把握できる手段が求められていた。
【０００４】
本発明の印刷装置およびその印刷方法は、製造メーカがノズルからのインクの吐出状態を把握することを主目的とする。
【課題を解決するための手段】
【０００５】
本発明の印刷装置およびその印刷方法は、上述の主目的を達成するために以下の手段を採った。
【０００６】
本発明の印刷装置は、
ノズルからインクを吐出して印刷する印刷装置であって、
所定タイミングで前記ノズルからのインクの吐出状態を確認するチェックパターンと前記印刷装置を識別する所定の識別情報とを該印刷装置の製造メーカへ返送する返送用紙に印刷することを特徴とする。
【０００７】
この本発明の印刷装置では、所定タイミングでノズルからのインクの吐出状態を確認するチェックパターンと印刷装置を識別する所定の識別情報とを印刷装置の製造メーカへ返送する返送用紙に印刷する。したがって、製造メーカがノズルからのインクの吐出状態を印刷装置の識別情報に関連付けて把握することができる。
【０００８】
こうした本発明の印刷装置において、前記返送用紙は、ユーザ登録用ハガキであるものとしてもよい。こうすれば、封書などで返送するものに比べ手間を少なくすることができる。この態様の本発明の印刷装置において、前記印刷装置のユーザに対するアンケートの質問と該質問に対する回答を数値または記号に対応付けられた選択肢として表示して回答を受け付け、該受け付けた回答を前記チェックパターンと共に前記ユーザ登録用ハガキに印刷するものとしてもよい。こうすれば、第三者にアンケート内容を知られることがないので個人情報の保護を図りつつユーザ情報を収集することができる。
【０００９】
また、本発明の印刷装置において、前記所定タイミングは、前記印刷装置の電源が最初に投入されたときであるものとしてもよい。こうすれば、ノズルへのインクの初期充填が正常に行われたか否かを把握することができる。
【００１０】
さらに、本発明の印刷装置において、前記所定の識別情報の印刷には、前記印刷装置が有する全てのインク色を用いるものとしてもよい。こうすれば、あるインク色のノズルにノズル詰まりなどの異常が生じていても他のインク色のノズルからインクを吐出するので印刷結果がかすれることなく確実に所定の識別情報を確認することができる。
【００１１】
また、本発明の印刷装置において、前記所定の識別情報は、シリアル番号であるものとしてもよい。こうすれば、インクの吐出状態をシリアル番号に関連付けて把握することができる。
【００１２】
本発明の印刷装置の印刷方法は、ノズルからインクを吐出して印刷する印刷装置における印刷方法であって、
所定タイミングで前記ノズルからのインクの吐出状態を確認するチェックパターンと前記印刷装置を識別する所定の識別情報とを該印刷装置の製造メーカへ返送する返送用紙に印刷することを特徴とする。
【００１３】
この本発明の印刷装置の印刷方法では、所定タイミングでノズルからのインクの吐出状態を確認するチェックパターンと印刷装置を識別する所定の識別情報とを印刷装置の製造メーカへ返送する返送用紙に印刷する。したがって、製造メーカがノズルからのインクの吐出状態を印刷装置の識別情報に関連付けて把握することができる。なお、本発明の印刷装置の印刷方法に、上述した印刷装置のいずれかの機能を実現するステップを追加してもよい。
【発明を実施するための最良の形態】
【００１４】
次に、本発明の実施の形態を図面に基づいて説明する。図１は、本発明の一実施形態であるフォトプリンタ１０の外観図であり、図２は、フォトプリンタ１０の構成の概略を示す構成図である。
【００１５】
本実施形態のフォトプリンタ１０は、図１，図２に示すように、プリンタ本体１２の前面を開閉可能な前面扉１４と、プリンタ本体１２の上面に設けられた操作パネル２０と、プリンタ本体１２に内蔵された印刷機構３０と、メモリカードスロット１６に挿入されたメモリカード１８のデータの入出力を司るメモリカードコントローラ５０と、フォトプリンタ１０の全体の制御を司るコントローラ６０とを備えている。
【００１６】
前面扉１４は、プリンタ本体１２の前面を開閉するための蓋であり、図１に示すように、開状態のときには、プリンタ本体１２の前面から排紙される記録紙Ｓを受けるための排紙トレイとして機能すると共に、プリンタ本体１２の前面に設けられた各種のメモリカードスロット１６をユーザが利用可能な状態となる。
【００１７】
操作パネル２０は、文字や図形、記号などを表示するディスプレイ２２と、このディスプレイ２２の周囲に配置されたボタン群２４とを備えている。ボタン群２４は、図２に示すように、電源のオンオフを行うための電源ボタン２４ａ、ディスプレイ２２に表示されている画像等の表示サイズを６分割表示・１５分割表示・全画面表示等に切り替えるための表示切替ボタン２４ｂ、印刷機能に関する複数の選択肢が並んだメインメニュー画面を呼び出すためのメニューボタン２４ｃ、操作を途中でキャンセルしたり記録紙Ｓへの印刷を途中で中断したりするためのキャンセルボタン２４ｄ、記録紙Ｓへの印刷実行を指示するための印刷ボタン２４ｅ、メモリカードスロット１６に挿入されたメモリカード１８に編集画像等を保存するための保存ボタン２４ｆ、ディスプレイ２２に表示された複数の選択肢の中から所望の選択肢を選択したりカーソルを移動したりするときに操作される上下左右ボタン２４ｇ、この上下左右ボタン２４ｇの中央に配置され上下左右ボタン２４ｇによって選択されている選択肢に決定したことを指示するためのＯＫボタン２４ｈなどで構成されている。また、図１に示すように、操作パネル２０の奥には、印刷機構３０の給紙口２８が設けられ、この給紙口２８には、ガイド幅が記録紙Ｓの幅に合うように左右方向にスライド操作される一対の用紙ガイド２９ａ，２９ｂが設けられている。
【００１８】
印刷機構３０は、プリンタ本体１２に内蔵され、図２に示すように、記録紙Ｓをプラテン３１の上に搬送する紙送りローラ３２やその他の図示しない搬送ローラを駆動可能な紙送りモータ３４と、キャリッジモータ３６ａと従動ローラ３６ｂとに架け渡されたベルト３８により紙送りローラ３２に平行に配置されたガイドレール４０に沿って主走査方向に往復動するキャリッジ４２と、キャリッジ４２に搭載され溶媒としての水に着色剤としての染料または顔料を含有したシアン（Ｃ），マゼンタ（Ｍ），イエロー（Ｙ），ブラック（Ｋ）の各色のインクを個別に収容するインクカートリッジ４４と、キャリッジ４２に搭載されインクカートリッジ４４から各色のインクの供給を受けてノズル４５からインク滴を吐出する印刷ヘッド４６と、キャリッジ４２の背面側に設けられキャリッジ４２の位置を検出するリニア式エンコーダ４８とを備えている。なお、印刷ヘッド４６は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。
【００１９】
メモリカードコントローラ５０は、メモリカードスロット１６に挿入されたメモリカード１８との間でデータの入出力を行うものである。このメモリカードコントローラ５０は、メモリカードスロット１６にメモリカード１８が接続されているとき、メモリカード１８に保存されているファイルを読み出してコントローラ６０に送信したりコントローラ６０からの命令を入力し該命令に基づいてメモリカード１８にデータを書き込んだりする。
【００２０】
コントローラ６０は、図２に示すように、ＣＰＵ６１を中心としたマイクロプロセッサとして構成されており、ＣＰＵ６１の他に、各種処理プログラムや各種データ，各種テーブル，フォトプリンタ１０のシリアル番号などを記憶するＲＯＭ６２と、データを一時的に記憶するＲＡＭ６３と、メモリカードスロット１６に挿入されたメモリカード１８や印刷機構３０、操作パネル２０と通信を可能とする入出力（Ｉ／Ｏ）ポート６５と、印刷ヘッド４６に印刷信号を出力する転送用バッファ６６とを備えており、これらはバス６７を介して電気的に接続されている。このコントローラ６０には、メモリカード１８の画像ファイルやリニア式エンコーダ４８からの位置信号，操作パネル２０のボタン群２４からの操作信号などが入力ポート６５を介して入力されており、コントローラ６０からは、印刷ヘッド４６への制御信号やメモリカードコントローラ５０への制御指令，キャリッジモータ３６ａへの駆動信号，紙送りモータ３４への駆動信号，ディスプレイ２２への表示信号などが出力ポート６５を介して出力されている。また、ＲＯＭ６２に記憶された各種処理プログラムには、目視によりノズル詰まりなどを確認可能な周知のチェックパターンを記録紙Ｓに印刷するチェックパターン印刷プログラムがある。このプログラムにより印刷されるチェックパターンの一例を図３に示す。図示するように、シアン（Ｃ），マゼンタ（Ｍ），イエロー（Ｙ），ブラック（Ｋ）の各色のインク滴を吐出するノズル４５にノズル詰まりなどの異常が発生していないときには図３（ａ）に示すようなチェックパターン９０ａとなり、ノズル詰まりなどの異常が発生しているときには図３（ｂ）に示すようなチェックパターン９０ｂとなる。図３（ｂ）に示すように、ノズル詰まりなどの異常が発生しているノズルに対応する箇所の印刷はされないので、異常の有無を容易に確認することができる。なお、以下の説明においては、チェックパターン９０ａとチェックパターン９０ｂとを合わせてチェックパターン９０と称する。
【００２１】
次に、こうして構成された本実施形態のフォトプリンタ１０の動作、特に、ユーザ登録用ハガキを作成する際の動作について説明する。図４は、フォトプリンタ１０のＣＰＵ６１により実行されるユーザ登録用ハガキ作成処理ルーチンの一例を示すフローチャートである。このルーチンは、ＲＯＭ６２に記憶され、フォトプリンタ１０を購入後に電源ボタン２４ａが押下されて最初に電源が投入されたときに実行される。
【００２２】
図４のユーザ登録用ハガキ作成処理ルーチンが開始されると、ＣＰＵ６１は、まず、ユーザ登録をするか否かを選択させるユーザ登録選択画面（図示せず）をディスプレイ２２に表示し（ステップＳ１００）、ユーザ登録が選択されたか否かを判定する（ステップＳ２００）。ここで、ユーザ登録の選択は、ユーザ登録選択画面においてユーザが上下左右ボタン２４ｇを操作して「登録する」または「登録しない」を選択しＯＫボタン２４ｈを押下することにより行われる。なお、デフォルト値は「登録する」に設定されている。ステップＳ２００でユーザ登録しないことが選択されたときは、そのまま本ルーチンを終了する。一方、ユーザ登録することが選択されたときは、ユーザに対するアンケートを行うアンケート処理を実行し（ステップＳ３００）、ユーザ登録用ハガキの裏面を印刷し（ステップＳ４００）、ユーザ登録用ハガキの宛名面を印刷して（ステップＳ５００）、本ルーチンを終了する。これによりユーザ登録用ハガキの作成が完了する。以下、アンケート処理、チェックパターン印刷、宛名面印刷の各処理について順に説明する。
【００２３】
まず、アンケート処理について説明する。アンケート処理は、図５に例示するアンケート処理ルーチンにより行われる。アンケート処理ルーチンでは、ＣＰＵ６１は、まず、アンケートに協力を促すメッセージと共にアンケートをするか否かを選択させるアンケート実施選択画面（図示せず）をディスプレイ２２に表示し（ステップＳ３１０）、アンケートの実施が選択されたか否かを判定する（ステップＳ３１５）。ここで、アンケートをするか否かの選択は、アンケート実施選択画面においてユーザが上下左右ボタン２４ｇを操作して「する」または「しない」を選択しＯＫボタン２４ｈを押下することにより行われる。なお、デフォルト値は「する」に設定されている。ステップＳ３１５でアンケートしないことが選択されたときは、そのまま本ルーチンを終了する。一方、アンケートすることが選択されたときは、主な使用者の性別を問う質問１のアンケート画面７０をディスプレイ２２に表示する（ステップＳ３２０）。このとき表示されるアンケート画面７０の一例を図６に示す。図示するように、「主に使われる方の性別は？」との質問１とその回答の選択肢「女性」，「男性」が表示されている。このアンケート画面７０上で、上下左右ボタン２４ｇを操作してカーソル７０ａを「女性」または「男性」に合わせて回答を選択しＯＫボタン２４ｈを押下することによりアンケートに対する回答が行われる。なお、デフォルト値は「女性」に設定されている。回答が行われると、選択された回答が女性か男性かを判定し（ステップＳ３２２）、女性が選択されたときは質問１の回答として値０をＲＡＭ６３に格納し（ステップＳ３２４）、男性が選択されたときは質問１の回答として値１をＲＡＭ６３に格納する（ステップＳ３２６）。このように、選択した回答に対応付けられた数値を質問の回答としてＲＡＭ６３に格納する。次に、主な写真撮影機種を問う質問２のアンケート画面７２をディスプレイ２２に表示する（ステップＳ３３０）。このとき表示されるアンケート画面７２の一例を図７に示す。図示するように、「主に写真を撮る機種は？」との質問２とその回答の選択肢「デジカメ」，「携帯電話」が表示されている。このアンケート画面７２上で、上下左右ボタン２４ｇを操作してカーソル７２ａを「デジカメ」または「携帯電話」に合わせて回答を選択しＯＫボタン２４ｈを押下することによりアンケートに対する回答が行われる。なお、デフォルト値は「デジカメ」に設定されている。回答が行われると、選択された回答がデジカメか携帯電話かを判定し（ステップＳ３３２）、デジカメが選択されたときは質問２の回答として値０をＲＡＭ６３に格納し（ステップＳ３３４）、携帯電話が選択されたときは質問２の回答として値１をＲＡＭ６３に格納する（ステップＳ３３６）。以下、同様に他の質問のアンケート画面をディスプレイ２２に表示し（ステップＳ３４０）、回答がなされると、選択された回答が回答Ａか回答Ｂかを判定し（ステップＳ３４２）、回答Ａが選択されたときは質問の回答として値０をＲＡＭ６３に格納し（ステップＳ３４４）、回答Ｂが選択されたときは質問の回答として値１をＲＡＭ６３に格納する（ステップＳ３４６）。このような処理を全ての質問が終了するまで繰り返し行って、本ルーチンを終了する。
【００２４】
次に、裏面の印刷について説明する。裏面の印刷は、図８に例示する裏面印刷処理ルーチンにより行われる。裏面印刷処理ルーチンでは、ＣＰＵ６１は、まず、ユーザ登録用ハガキ８０の裏面が手前となるように給紙口２８にセットして用紙ガイド２９ａ，２９ｂをハガキ幅に合わせてＯＫボタン２４ｈを押下するよう促す裏面セット画面（図示せず）をディスプレイ２２に表示し（ステップＳ４１０）、ＯＫボタン２４ｈが押下されるのを待つ（ステップＳ４２０）。ＯＫボタン２４ｈが押下されると、印刷ボタン２４ｅを押下するよう促す印刷指示画面（図示せず）をディスプレイ２２に表示し（ステップＳ４３０）、印刷ボタン２４ｅが押下されるのを待つ（ステップＳ４４０）。印刷ボタン２４ｅが押下されると、アンケートを実施したか否か、即ちアンケートの回答がＲＡＭ６３に格納されているか否かを判定し（ステップＳ４５０）、格納されていると判定されれば、チェックパターン９０，シリアル番号１００，アンケートの回答１１０およびユーザが郵便番号や住所氏名を記入する住所氏名欄１２０をユーザ登録用ハガキ８０の裏面に印刷して、本ルーチンを終了する。ここで、チェックパターン９０はチェックパターン印刷プログラムをＲＯＭ６２から読み出して印刷し、アンケートの回答１１０はＲＡＭ６３に格納されている格納値を読み出して印刷し、シリアル番号１００および住所氏名欄１２０は予めＲＯＭ６２に記憶されているものを読み出して印刷するものとした。また、チェックパターン９０の印刷以外は、シアン（Ｃ），マゼンタ（Ｍ），イエロー（Ｙ），ブラック（Ｋ）の全てのインク色のノズル４５を用いてブラック色の印字となる印刷をし、いずれかのインク色のノズル４５のノズル詰まりによる印刷のかすれを防止するものとした。このとき印刷されるユーザ登録用ハガキ８０の裏面の一例を図９に示す。図示するように、チェックパターン９０とシリアル番号１００とが印刷されているので、このユーザ登録用ハガキ８０を受領した製造メーカはノズル４５からのインクの吐出状態や初期のインクの充填状態をシリアル番号１００に関連付けて把握することができる。例えば、チェックパターン９０からイエロー（Ｙ）のノズル４５にノズル詰まりが生じていることがわかるので、イエロー（Ｙ）のノズル４５の初期充填が正常に行われなかったことを把握することができる。また、図示するように、アンケートの回答１１０は、数値化した回答が左から順に印刷されており（質問数が８個の場合を例示）、質問や選択肢を印刷しないから、個人情報の保護を図りつつユーザ情報を収集することができる。なお、住所氏名欄１２０に記入されるユーザの住所氏名に基づいてユーザ登録をすることができる。一方、ステップＳ４５０でアンケートの回答がＲＡＭ６３に格納されていないと判定されれば、アンケートの回答を印刷することなく、ノズルチェックパターン９０，シリアル番号１００および住所氏名欄１２０を印刷して（ステップＳ４７０）、本ルーチンを終了する。
【００２５】
続いて、宛名面の印刷について説明する。宛名面の印刷は、図１０に例示する宛名面印刷処理ルーチンにより行われる。宛名印刷処理ルーチンでは、ＣＰＵ６１は、まず、ユーザ登録用ハガキ８０の宛名面が手前となるように給紙口２８にセットしてＯＫボタン２４ｈを押下するよう促す宛名面セット画面（図示せず）をディスプレイ２２に表示し（ステップＳ５１０）、ＯＫボタン２４ｈが押下されるのを待つ（ステップＳ５２０）。ＯＫボタン２４ｈが押下されると、印刷ボタン２４ｅを押下するよう促す印刷指示画面（図示せず）をディスプレイ２２に表示し（ステップＳ５３０）、印刷ボタン２４ｅが押下されるのを待つ（ステップＳ５４０）。印刷ボタン２４ｅが押下されると、製造メーカの郵便番号，住所および製造メーカのユーザ登録担当部署名などからなる宛名を印刷して（ステップＳ５５０）、本ルーチンを終了する。
【００２６】
以上詳述した本実施形態のフォトプリンタ１０によれば、最初に電源が投入されたときにユーザ登録用ハガキ８０の裏面にチェックパターン９０を印刷すると共に全てのインク色のノズル４５を用いてシリアル番号１００，アンケートの回答１１０および住所氏名記入欄１２０を印刷する。したがって、製造メーカがノズル４５からのインクの吐出状態やノズル４５へのインクの初期充填状態をシリアル番号１００に関連付けて把握することができる。また、個人情報の保護を図りつつユーザ情報を収集することができる。さらに、いずれかのインク色のノズル４５にノズル詰まりが生じていても確実にシリアル番号を確認することができる。なお、本実施形態ではフォトプリンタ１０の動作の説明をすることにより本発明の印刷装置の印刷方法の一例も明らかにしている。
【００２７】
なお、本発明は上述した実施形態に何ら限定されることはなく、本発明の技術的範囲に属する限り種々の態様で実施し得ることはいうまでもない。
【００２８】
例えば、上述した実施形態では、アンケート処理を行うものとしたが、アンケート処理を行わないものとしてもよい。この場合、図４のユーザ登録用ハガキ作成処理ルーチンのステップＳ３００の処理を省略すればよい。
【００２９】
上述した実施形態では、ユーザ登録用ハガキ８０に印刷するものとしたが、フォトプリンタ１０で使用可能な用紙であれば如何なる用紙に印刷するものとしてもよい。この場合、印刷された用紙を封書などに入れて製造メーカに返送するものとすればよい。
【００３０】
上述した実施形態では、最初に電源が投入されたときにユーザ登録用ハガキ作成処理ルーチンが実行されるものとしたが、これに限られず、初回の印刷をする前に実行するものとしてもよいし、数枚の印刷を行ったときに実行するものとしてもよい。また、ノズル４５へのインクの初期充填状態を把握するものに限られず、例えばインクカートリッジを交換したときに交換後の状態を把握するために実行するものとしてもよい。
【００３１】
上述した実施形態では、アンケートの回答は値０や値１としてＲＡＭ６３に格納し印刷するものとしたが、他の数値や記号を格納して印刷するものとしてもよい。
【００３２】
上述した実施形態では、チェックパターン以外の印刷には全てのインク色を使うものとしたが、シリアル番号１００の印刷のみ全てのインク色を使うものとしてもよい。また、そのような印刷を行わずに１つのインク色（例えば、ブラック（Ｋ））のみで印刷するものとしてもよい。
【００３３】
上述した実施形態では、ユーザ登録用ハガキ８０の裏面に住所氏名欄を印刷するものとしたが、宛名面に印刷するものとしてもよい。あるいは、予めユーザ登録用ハガキ８０に印刷されているものとしてもよい。また、宛名についても予め印刷されているものとして裏面だけを図４のユーザ登録用ハガキ作成処理ルーチンのステップＳ４００の処理により印刷するものとしてもよい。
【００３４】
上述した実施形態では、フォトプリンタ１０としたが、プリンタのほかにスキャナなどの機能を併せ持つ複合機に本発明を適用してもよい。
【図面の簡単な説明】
【００３５】
【図１】フォトプリンタ１０の外観図。
【図２】フォトプリンタ１０の構成の概略を示す構成図。
【図３】印刷されるチェックパターンの一例を示す説明図。
【図４】ユーザ登録用ハガキ作成処理ルーチンの一例を示すフローチャート。
【図５】アンケート処理ルーチンの一例を示すフローチャート。
【図６】アンケート画面７０の一例を示す説明図。
【図７】アンケート画面７２の一例を示す説明図。
【図８】裏面印刷処理ルーチンの一例を示す説明図。
【図９】印刷されるユーザ登録用ハガキ８０の裏面の一例を示す説明図。
【図１０】宛名面印刷処理ルーチンの一例を示すフローチャート。
【符号の説明】
【００３６】
１０  フォトプリンタ、１２  プリンタ本体、１４  前面扉、１６  メモリーカードスロット、１８  メモリカード、２０  操作パネル、２２  ディスプレイ、２４  ボタン群、２４ａ  電源ボタン、２４ｂ  表示切替ボタン、２４ｃ  メニューボタン、２４ｄ  キャンセルボタン、２４ｅ  印刷ボタン、２４ｆ  保存ボタン、２４ｇ  上下左右ボタン、２４ｈ  ＯＫボタン、２８  給紙口、２９ａ，２９ｂ  用紙ガイド、３０  印刷機構、３１  プラテン、３２  紙送りローラ、３４  紙送りモータ、３６ａ  キャリッジモータ、３６ｂ  従動ローラ、３８  ベルト、４０  ガイドレール、４２  キャリッジ、４４  インクカートリッジ、４５  ノズル、４６  印刷ヘッド、４８  リニア式エンコーダ、５０  メモリカードコントローラ、６０  コントローラ、６１  ＣＰＵ、６２  ＲＯＭ、６３  ＲＡＭ、６５  （Ｉ／Ｏ）ポート、６６  転送用バッファ、６７  バス、７０，７２  アンケート画面、７０ａ，７２ａ  カーソル、８０  ユーザ登録用ハガキ、９０，９０ａ，９０ｂ  チェックパターン、１００  シリアル番号、１１０  アンケート回答、１２０  住所氏名記入欄、Ｓ  記録紙。
【図１】
2009184127.tif 000003
【図３】
2009184127.tif 000004
【図４】
2009184127.tif 000005
【図５】
2009184127.tif 000006
【図６】
2009184127.tif 000007
【図７】
2009184127.tif 000008
【図８】
2009184127.tif 000009
【図９】
2009184127.tif 000010
【図１０】
2009184127.tif 000011
【図２】
2009184127.tif 000012